(57)【要約】【課題】消費電力および騒音発生を低減化すると共に、比較的大規模の機器の空冷のために適した多数個のファンを備えたファン式空冷装置およびその駆動制御方法を提供する。【解決手段】各種機器等の内部に設けられた空冷用の複数個のファン２１と、各ファンの近傍にそれぞれ備えられた温度センサ２２と、各温度センサからの検出信号により対応するファンの近傍の温度を検知して、その温度に対応して各ファンの駆動制御を行なう駆動制御装置２３と、を設けたファン式空冷装置２０であって、上記駆動制御装置２３が、特定のファンの近傍の温度が高くなったとき、当該ファンの回転数を高めることにより、当該ファンの近傍を集中的に冷却すると共に、当該ファンを除く他のファンの回転数を低減して、すべてのファンの駆動により発生する騒音を規制レベル以下に維持するように、構成する。【選択図】      図１
2004239183.tif 000002
【特許請求の範囲】
【請求項１】
各種機器等の内部に設けられた空冷用の複数個のファンと、各ファンの近傍にそれぞれ備えられた温度センサと、各温度センサからの検出信号により対応するファンの近傍の温度を検知して、その温度に対応して各ファンの駆動制御を行なう駆動制御装置と、を設けたファン式空冷装置であって、
上記駆動制御装置が、特定のファンの近傍の温度が高くなったとき、当該ファンの回転数を高めることにより、当該ファンの近傍を集中的に冷却すると共に、当該ファンを除く他のファンの回転数を低減して、すべてのファンの駆動により発生する騒音を規制レベル以下に維持することを特徴とするファン式空冷装置。
【請求項２】
上記駆動制御装置が、特定の温度センサにより検出された温度が前もって設定された閾値温度を超えたとき、検出された温度に対応して当該温度センサの近傍のファンの回転数制御を行なって、その回転数を高めると共に、すべてのファンが発生する騒音が規制レベル以下となるように、他のファンの回転数制御を行なって、その回転数を低くすることを特徴とする、請求項１に記載のファン式空冷装置。
【請求項３】
上記駆動制御装置が、上記温度および騒音レベルに対応するファンの回転数が記憶されるメモリ部を備えていることを特徴とする請求項２に記載のファン式空冷装置。
【請求項４】
各ファンの近傍にそれぞれ一個の温度センサを備えていることを特徴とする請求項１〜３のいずれかに記載のファン式空冷装置。
【請求項５】
複数個のファンの近傍に一つの温度センサを備えていることを特徴とする請求項１〜３のいずれかに記載のファン式空冷装置。
【請求項６】
各種機器等の内部に設けられた空冷用の複数個のファンの近傍に備えられた温度センサにより、対応するファンの近傍の温度を検知して、その温度に対応して各ファンの駆動制御を行なうファン式空冷装置の駆動制御方法において、
特定のファンの近傍の温度が高くなったとき、当該ファンの回転数を高めることにより、当該ファンの近傍を集中的に冷却すると共に、当該ファンを除く他のファンの回転数を低減して、すべてのファンの駆動により発生する騒音を規制レベル以下に維持することを特徴とするファン式空冷装置の駆動制御方法。
【発明の詳細な説明】
【０００１】
【発明の属する技術分野】
本発明は、ファン式空冷装置に関し、特にファンの駆動により発生する騒音を所定レベル以下に抑制するようにしたファン式空冷装置の駆動制御の技術に関する。
【０００２】
【従来の技術】
従来、このようなファン式空冷装置は、コンピュータ等の各種機器の内部に設けられた空冷用の複数個のファンと、各ファンの近傍にそれぞれ備えられた温度センサと、各温度センサからの検出信号により対応するファンの近傍の温度を検知して、その温度に対応して各ファンの駆動制御を行なう駆動制御装置と、を備えている（例えば、特許文献１）。
【０００３】
このような構成のファン式空冷装置によれば、駆動制御装置が、各ファンの近傍に備えられた温度センサからの検出信号に基づいて、各ファンの近傍の温度を検知し、その温度に対応して各ファンの駆動制御を行なう。
そして、例えば特定のファンの近傍の温度が上昇した場合には、駆動制御装置は、当該ファンの回転数を高くすることにより、当該ファンの近傍を集中的に空冷して、当該ファンの近傍の温度を下げるようになっている。
【０００４】
ところで、近年、地球環境保護の観点から、省エネルギーが注目されてきており、また騒音の発生の低減が強く求められるようになってきている。
しかしながら、上記構成のファン式空冷装置においては、温度が上昇した付近のファンの回転数を高めることにより、集中的に空冷を行なって温度を下げるようにしているだけで、電力消費や騒音発生の低減に関しては考慮されていない。
【０００５】
一方、これらのことを考慮した空冷装置も知られている（例えば、特許文献２）。
この空冷装置は、各種機器の周囲の騒音を検出する騒音センサを備えることにより、周囲の騒音が前もって決められた規制レベルを超えたとき、ファンの駆動制御により、その回転数を低減して、騒音レベルを規制レベル以下に抑えるように構成されている。
【０００６】
【特許文献１】
特開平０１−１９７８１６号（第１−２頁，第１図および第２図）
【特許文献２】
特開平０３−２０７９７７号（第２−４頁，第１図および第２図）
【０００７】
【発明が解決しようとする課題】
しかしながら、上述した特許文献２による空冷装置においては、騒音センサにより周囲の騒音を測定して、周囲の騒音が規制レベルを超えないように個々のファンを駆動制御するようになっているが、局部的な騒音発生を抑制することは可能であるが、多数のファンを備えた比較的大規模の機器に適用した場合には、機器各部における騒音発生の状況が異なることから、このような機器全体の騒音発生を考慮することは困難であり、比較的大規模の機器に適用するには不十分である。
さらに、このような空冷装置は、消費電力についても殆ど考慮されておらず、地球環境保護のために省電力を促進することはできない。
【０００８】
本発明は、上記の問題を解決すべくなされたものであり、消費電力および騒音発生を低減化すると共に、比較的大規模の機器の空冷のために適した多数個のファンを備えたファン式空冷装置における駆動制御技術の提供を目的とする。
【０００９】
【課題を解決するための手段】
この目的を達成するため、本発明の請求項１記載のファン式空冷装置は、各種機器等の内部に設けられた空冷用の複数個のファンと、各ファンの近傍にそれぞれ備えられた温度センサと、各温度センサからの検出信号により対応するファンの近傍の温度を検知して、その温度に対応して各ファンの駆動制御を行なう駆動制御装置と、を設けたファン式空冷装置であって、上記駆動制御装置が、特定のファンの近傍の温度が高くなったとき、当該ファンの回転数を高めることにより、当該ファンの近傍を集中的に冷却すると共に、当該ファンを除く他のファンの回転数を低減して、すべてのファンの駆動により発生する騒音を規制レベル以下に維持する構成としてある。
【００１０】
ファン式空冷装置をこのような構成とすると、定常運転状態では、各ファンは、一定の回転数で回転して、各種機器の内部の各部を冷却することにより、各部が空冷されていると共に、すべてのファンの駆動により発生する各種機器全体の騒音レベルも規制レベル以下になっている。
ここで、各種機器の内部の一部で温度が上昇すると、この部位の温度が温度センサにより検出されるので、駆動制御装置は、当該温度センサの近傍のファンの回転数を制御して、回転数を高めることにより、当該部位を集中的により強く空冷して、当該部位の温度を低下させる。
【００１１】
その際、駆動制御装置は、他のファンの回転数も制御して、回転数を低くすることにより、すべてのファンの駆動により発生する騒音を規制レベル以下となるように抑制する。これにより、各種機器全体から発生する騒音が規制レベル以下に維持され得ることになる。
そして、当該部位の温度が十分に低くなると、駆動制御装置は、すべてのファンの回転数を制御して、当該ファンの回転数を低くし、また他のファンの回転数を高めて、再び定常運転状態に戻す。
【００１２】
したがって、各種機器の内部の一部で温度が異常に上昇すると、当該部位付近のファンの回転数が高められることにより、当該部位がこのファンにより集中的に空冷され、温度が下げられると共に、他のファンの回転数が低くされることにより、全体の騒音が規制レベル以下に維持され、さらには全体としてのファンの回転数の抑制により、すべてのファンの駆動のための消費電力も低減され得ることになる。
【００１３】
請求項２記載のファン式空冷装置は、上記駆動制御装置が、特定の温度センサにより検出された温度が前もって設定された閾値温度を超えたとき、検出された温度に対応して当該温度センサの近傍のファンの回転数制御を行なって、その回転数を高めると共に、すべてのファンが発生する騒音が規制レベル以下となるように、他のファンの回転数制御を行なって、その回転数を低くする構成としてある。
【００１４】
ファン式空冷装置をこのような構成とすると、各種機器の内部の一部で温度が閾値温度を超えて上昇すると、この部位の温度が温度センサにより検出されるので、駆動制御装置は、当該温度センサの近傍のファンの回転数を制御して、回転数を高めることにより、当該部位を集中的により強く空冷して、当該部位の温度を低下させる。
その際、駆動制御装置は、他のファンの回転数も制御して、回転数を低くすることにより、すべてのファンの駆動により発生する騒音を規制レベル以下となるように抑制する。これにより、各種機器全体から発生する騒音が規制レベル以下に維持され得ることになる。
【００１５】
請求項３記載のファン式空冷装置は、上記駆動制御装置が、上記温度および騒音レベルに対応するファンの回転数が記憶されるメモリ部を備えている構成としてある。
ファン式空冷装置をこのような構成とすると、駆動制御装置が、温度センサからの検出信号に基づいて温度を検知して、メモリ部から読み出した温度に対応するファンの回転数に基づいて、当該ファンの回転数の制御を行なうことができると共に、他のファンの駆動により発生する騒音レベルが規制レベル以下となるような回転数をメモリ部から読み出して、他のファンの回転数の制御を行なうことができる。
【００１６】
請求項４記載のファン式空冷装置は、各ファンの近傍にそれぞれ一個の温度センサを備えている構成としてある。
ファン式空冷装置をこのような構成とすると、各ファンの近傍が、それぞれ対応する一個の温度センサにより温度検出されるので、各種機器の全体がより正確に温度検出され得ることになる。
【００１７】
請求項５記載のファン式空冷装置は、複数個のファンの近傍に一つの温度センサを備えている構成としてある。
ファン式空冷装置をこのような構成とすると、一つの温度センサの周りに複数個のファンの近傍が、当該一つの温度センサにより温度検出されるので、各種機器の全体として必要な温度センサの個数が少なくて済み、コストが低減され得ることになる。
【００１８】
また、この目的を達成するため、本発明の請求項６記載の駆動制御方法は、各種機器等の内部に設けられた空冷用の複数個のファンの近傍に備えられた温度センサにより、対応するファンの近傍の温度を検知して、その温度に対応して各ファンの駆動制御を行なうファン式空冷装置の駆動制御方法において、特定のファンの近傍の温度が高くなったとき、当該ファンの回転数を高めることにより、当該ファンの近傍を集中的に冷却すると共に、当該ファンを除く他のファンの回転数を低減して、すべてのファンの駆動により発生する騒音を規制レベル以下に維持する方法としてある。
【００１９】
このようにして、本発明によるファン式空冷装置およびその駆動制御方法によれば、各種機器の内部の一部で温度が異常に上昇すると、各ファンの回転数の制御を行なって、当該部位付近のファンの回転数を高めることにより、当該部位がこのファンにより集中的に空冷され、温度が下げられると共に、他のファンの回転数を低くすることにより、全体の騒音が規制レベル以下に維持され、さらには全体としてのファンの回転数の抑制により、すべてのファンの駆動のための消費電力も低減され得ることになる。
【００２０】
【発明の実施の形態】
以下、本発明の実施の形態について、図面を参照して説明する。
まず、本発明のファン式空冷装置の一実施形態について、図１から図６を参照して説明する。
図１は、本実施形態によるファン式空冷装置の一実施形態を組み込んだ電気機器の構成を示す概略図である。
【００２１】
図１に示すように、電気機器１０は、例えば基地局無線装置等に代表される比較的大規模な電気機器である。
上記電気機器１０は、筐体１１内にラック１２を備えており、このラック１２内に複数個、図示の場合１２個のパネル１３が実装されている。
【００２２】
各パネル１３ａ〜１３ｍは、ラック１２内にてそれぞれほぼ垂直に、そして互いにほぼ平行に配置されており、例えば無線パネルや電子制御を行なう機能単位の電気回路を有するように構成されている。
【００２３】
さらに、上記電気機器１０は、筐体１１内にファン式空冷装置２０を備えている。
このファン式空冷装置２０は、上記ラック１２の上方に配置された複数個（図示の場合、５個）のファン２１と、各ファン２１に隣接してラック１２の直上にてラック１２とファン２１の間の空間に配置された複数個（図示の場合、５個）の温度センサ２２と、ファン２１を駆動制御するための駆動制御装置２３と、を設けてある。
【００２４】
上記各ファン２１は、公知の構成であって、駆動制御装置２３により駆動制御されることにより、制御された回転数で回転駆動され、下方から上方に向かって気流を発生させることにより、ラック１２内の各パネル１３で発生する熱を放熱させるようになっている。
ここで、個々のファン２１ａ〜２１ｅは、各パネル１３ａ〜１３ｍに対して、以下のように対応している。
すなわち、ファン２１ａはパネル１３ａ〜１３ｃに、ファン２１ｂは、パネル１３ｃ〜１３ｅに、ファン２１ｃは、パネル１３ｅ〜１３ｈに、ファン２１ｄはパネル１３ｈ〜１３ｊに、ファン２１ｅは、パネル１３ｊ〜１３ｍに、それぞれ対応している。
【００２５】
上記温度センサ２２は、同様に公知の構成であって、対応するファン２１により吸い上げられる気流の温度を測定することにより、下方の対応するパネルの廃熱温度を検出して、検出信号を出力するようになっている。
なお、温度センサ２２が配置されるラック１２とファン２１との間の空間は、ファン２１による排熱による冷却効果を高めるために、できるだけ低く、最小高となるように画成される。
【００２６】
上記駆動制御装置２３は、各温度センサ２２からの検出信号に基づいて、対応する各ファン２１の近傍の温度を検出することにより、検出温度に基づいて各ファン２１を駆動制御するようになっている。
その際、駆動制御装置２３は、例えば各ファン２１の近傍の温度がほぼ均一となるように各ファン２１の回転数を制御するようになっている。
【００２７】
ここで、駆動制御装置２３は、図２に示すように、制御回路２３ａとメモリ部２３ｂとから構成されている。
上記制御回路２３ａは、例えばＣＰＵやＤＳＰ等の制御ＩＣにより構成されており、各ファン２１の回転数を制御して、各ファン２１の駆動制御を行なうようになっている。
上記メモリ部２３ｂは、任意の構成のメモリにより構成されており、温度センサ２２の検出温度に対応するファンの回転数のデータが前もって登録されている。
【００２８】
これにより、制御回路２３ａは、各ファン２１の回転数制御のために、各温度センサ２２からの検出信号に基づいて、検出温度に対応する回転数をメモリ部２３ｂから読み出すことにより、ファン２１の回転数を基準として温度の検出をして、各ファン２１に対して回転数制御信号を送出することにより、各ファン２１の駆動制御を行なうようになっている。
【００２９】
そして、制御回路２３ａは、特定の温度センサ２２の検出温度が高くなると、この温度センサ２２に対応するファン２１の回転数を制御して、当該ファン２１の回転数を高くして、排熱効果を高め、より強く空冷を行なわせる。
さらに、制御回路２３ａは、他のファン２１の回転数を制御して、これらのファン２１の回転数を低くして、すべてのファン２１が駆動の際に発生する騒音を規制レベル以下に抑制するようになっている。
【００３０】
具体的には、制御回路２３ａは、図３に示すように、ファン２１の回転数と騒音レベルは等価であると考えられるので、温度センサ２２の検出温度（図３にて○印で示す）およびファン２１の駆動の際に発生する騒音レベル（図３にて●印で示す）を、ファン２１の回転数を基準として処理するようになっている。
その際、騒音レベルについては、音源（ファン２１）が複数存在する場合に、全体の騒音レベルが加算により計算できるように、リニア値で表現している。これにより、図３のグラフにおいては、騒音レベルは、グラフ上の面積により表わされるので、視覚的に容易に把握され得るようになっている。
【００３１】
そして、電気機器１０に許容される最大騒音レベルをＡ（ｄＢ）とすると、５個のファン２１ａ〜２１ｅが同一条件で駆動される場合には、各ファンの許容回転数は、符号（ｃ）で示され、符号Ｎｍａｘで示す面積が、最大騒音レベル（規制レベル）を表わすことになる。
なお、個々のファン２１の最大回転数は符号（ａ）で示され、また各ファン２１の定常運用レベルの回転数は、符号（ｃ）で示されている。その際、各ファン２１の回転数は、騒音レベルと相関し、実質的に等価であると考えられるので、図３においては、ファン２１の最大回転数をレベル８として示している。
したがって、上記最大騒音レベルＡは、具体的には騒音レベル３×５（ファン２１の個数）＝１５となる。
【００３２】
そして、上記駆動制御装置２３の制御回路２３ａは、特定の温度センサ２２の検出温度が高くなったとき、対応するファン２１の回転数を高くすると共に、特定の温度センサ２２の検出温度が閾値（例えば定常運用レベルの回転数に対応するレベル３）を超えたとき、他のファン２１の回転数を、上記騒音レベルを示す面積が、上記面積Ｎｍａｘの面積を超えないように、低くするようになっている。
【００３３】
次に、本実施形態のファン式空冷装置１０における駆動制御装置２３の動作について説明する。
まず、電気機器１０が作動すると、電気機器１０に内蔵されたファン式空冷装置２０も作動する。これにより、電気機器１０の作動によりラック１２内の各パネル１３ａ〜１３ｍで発生した熱は、上方に配置されたファン式空冷装置２０の各ファン２１の回転駆動によって上方に向かう気流により放熱され、外部に排熱されることになる。
そして、上記気流は、ラック１２とファン２１との間に配置された温度センサ２２の近傍を通過するので、各温度センサ２２は、対応するファン２１の近傍の温度を検出することになる。これにより、各温度センサ２２の検出信号が駆動制御装置２３の制御回路２３ａに送出される。
【００３４】
したがって、駆動制御装置２３の制御回路２３ａは、各温度センサ２２からの検出信号に基づいて、メモリ部２３ｂから検出温度に対応するファン２１の回転数のデータを読み出して、各ファン２１に対してそれぞれ回転数制御信号を出力する。
これにより、各ファン２１は、それぞれ駆動制御装置２３からの回転数制御信号に基づいて駆動制御される。その際、回転数制御信号は、温度センサ２２の検出温度に対応して選定されるので、各ファン２１は、そのときの近傍の温度、すなわち対応するパネル１３の温度に最適な回転数で、図４に示すように、定常運転状態で回転駆動されることになる。このとき、騒音レベルＢは、騒音レベル２×５＝１０となり、許容レベル１５を下回っており、安定運用状態であることを示している。
【００３５】
ここで、ファン２１ｃに対応するパネル１３ｅ〜１３ｈの領域に異常が発生し、温度が上昇して、温度センサ２２ｃによる検出温度が図５に示すようにレベル８になると、駆動制御装置２３の制御回路２３ａは、同様にして温度センサ２２ｃからの検出信号に基づいて、メモリ部２３ｂから検出温度に対応するファン２１の回転数のデータを読み出して、当該ファン２１ｃに対して回転数制御信号を出力する。これにより、ファン２１ｃは、上記検出温度に対応した回転数の制御により、レベル８の回転数に高められ、ファン２１ｃがより強く空冷を行なって、当該パネル１３ｅ〜１３ｈの領域の温度を低くするようになる。
このとき、全体の騒音レベルＣは、騒音レベル２×４＋騒音レベル８×１＝１６となり、電気機器１０の許容騒音レベルＡ（＝１５）を超えて、不安定運用状態になっていることを示している。なお、このとき、制御回路２３ａは、異常発生の警告信号を外部に出力し、例えば異常発生を知らせる一次警報を発するようにしてもよい。
【００３６】
これに対して、上記駆動制御装置２３の制御回路２３ａは、上述したようにいずれかの温度センサ２２、この場合温度センサ２２ｃの検出信号が閾値（すなわち、レベル３）を超えた時点で、他の異常の発生していない温度センサに対応するファン２１ａ，２１ｂ，２１ｄ，２１ｅの回転数の制御モードを変更して、全体の騒音レベルが許容騒音レベルＡ以下となるように、これらのファンの回転数を低下させる。
これにより、他のファン２１ａ，２１ｂ，２１ｄ，２１ｅの回転数がレベル１と低くなって、全体の騒音レベルＤは、騒音レベル１×４＋騒音レベル８×１＝１２となり、電気機器１０の許容騒音レベルＡ（＝１５）以下となって、騒音レベルに関して安定運用状態であることを示している。
なお、この場合、他のファン２１ａ，２１ｂ，２１ｄ，２１ｅの回転数の低下により、対応する領域のパネルに関して、空冷効果が低下して、これらのパネルの温度の上昇が見込まれるが、電気機器１０の許容レベル以下であることから、このようなファン２１の駆動制御を継続することが可能である。
【００３７】
ここで、このような異常温度が低くなって、各温度センサ２２からの検出温度が許容レベル（レベル３）以下になると、駆動制御装置２３の制御回路２３ａは、再び当該ファン２１ｃの回転数を下げ、また他のファンの回転数を上げて、すべてのファン２１の回転数をレベル２に制御して、図４に示す定常運転状態に戻すことができる。
この際、温度上昇による異常発生時の各ファン２１の回転数制御モード（第一の制御モード）への切換えと、温度低下による定常運転状態への各ファン２１の回転数制御モード（第二の制御モード）への切換えに関して、切換えの基準となる温度を互いに異ならせることにより、回転数制御モードの切換えに、所謂ヒステリシス特性を持たせることが好ましい。
例えば、第一の制御モードへの切換えを比較的高いレベル、例えばレベル６以上で行ない、第二の制御モードへの切換えを比較的低いレベル、例えばレベル４以下で行なうようにすればよい。
【００３８】
このように構成した本発明実施形態によるファン式空冷装置２０によれば、いずれかの温度センサ２２の検出温度が高くなったとき、これに対応するファン２１の回転数を高めて、温度上昇の発生した領域にて集中的に空冷効果を強めると共に、他のファン２１の回転数を低くして、全体の騒音レベルを規制レベル以下に抑制し、周囲への騒音の影響を低減することができる。
なお、他のファン２１の回転数低下によって、全体の騒音レベルを規制レベル以下にできない場合には、電気機器１０の継続運転が不可能であるとして、駆動制御装置２３の制御回路２３ａが、運転不能の警告信号を外部に出力し、例えば障害発生を知らせる二次警報を発するようにしてもよい。
【００３９】
上述した実施形態においては、駆動制御装置２３の制御回路２３ａが、各ファン２１の回転数制御をレベル１〜８の８段階にて行なうようになっているが、これに限らず、より多数の段階あるいは無段階で行なうようにしてもよい。
このような多段階または無段階の回転数制御により、各ファン２１の回転数を全体の騒音レベルを規制レベル以下に抑制する際に、全体の騒音レベルを規制レベルを僅かに下回る程度に各ファンの回転数を制御することができるので、回転数低下による空冷効果の低下をできるだけ小さくして、空冷対象であるパネルの温度上昇をできるだけ抑制することが可能になる。
【００４０】
また、上述した実施形態においては、ファン式空冷装置２０は、１２個のパネル１３に対して、５個のファン２１および温度センサ２２を備えるように構成されているが、これに限らず、電気機器１０の構成や寸法に対応して、複数個のパネルに対して、適宜の個数のファンおよび温度センサを備えるようにしてもよいことは明らかである。
【００４１】
【発明の効果】
以上のように、本発明によれば、各種機器の内部の一部で温度が異常に上昇すると、各ファンの回転数の制御を行なって、当該部位付近のファンの回転数を高めることにより、当該部位がこのファンにより集中的に空冷され、温度が下げられると共に、他のファンの回転数を低くすることにより、全体の騒音が規制レベル以下に維持され、さらには全体としてのファンの回転数の抑制により、すべてのファンの駆動のための消費電力も低減され得ることになる。
このようにして、本発明によれば、消費電力および騒音発生を低減化すると共に、比較的大規模の機器の空冷のために適した多数個のファンを備えたファン式空冷装置における駆動制御装置および制御方法を提供することができる。
【図面の簡単な説明】
【図１】本発明のファン式空冷装置の一実施形態を組み込んだ電気機器の構成を示す概略図である。
【図２】図１の電気機器におけるファン式空冷装置の構成を示すブロック図である。
【図３】図２のファン式空冷装置における検出温度，ファンの回転数（騒音レベル）の関係を示すグラフである。
【図４】図２のファン式空冷装置における定常運転状態における検出温度と騒音レベルとの関係を示すグラフである。
【図５】図２のファン式空冷装置における異常発生時の過渡的運転状態における検出温度と騒音レベルとの関係を示すグラフである。
【図６】図２のファン式空冷装置における異常発生時の安定的運転状態における検出温度と騒音レベルとの関係を示すグラフである。
【符号の説明】
１０  電気機器
１１  筐体
１２  ラック
１３，１３ａ〜１３ｍ  パネル
２０  ファン式空冷装置
２１，２１ａ〜２１ｅ  ファン
２２，２２ａ〜２２ｅ  温度センサ
２３  駆動制御装置
２３ａ  制御回路
２３ｂ  メモリ部
【図１】
2004239183.tif 000003
【図２】
2004239183.tif 000004
【図３】
2004239183.tif 000005
【図４】
2004239183.tif 000006
【図５】
2004239183.tif 000007
【図６】
2004239183.tif 000008